(57)【特許請求の範囲】
【請求項１】
ユーザに対する操作案内を表示する表示部と、
原稿を給紙する原稿給紙部と、
前記原稿給紙部によって搬送されてくる前記原稿の一方の面を読み取る第１読取部と、
前記原稿給紙部によって搬送されてくる前記原稿の他方の面を読み取る第２読取部と、
前記第１読取部による前記原稿の一方の面の読み取りが終了した後、当該原稿をその他方の面が前記第１読取部に読み取られる状態として反転させて搬送する反転部と、
前記第１読取部又は前記第２読取部によって読み取られた原稿の画像がモノクロ画像又はカラー画像のいずれであるかを判別する判別部と、
前記第１読取部により前記原稿の一方の面を読み取り、前記反転部による当該原稿の反転後に、前記第１読取部が当該原稿の他方の面を読み取る両面反転読取モードと、前記原稿給紙部による一度の原稿搬送で、前記第１読取部が当該原稿の一方の面を読み取り、前記第２読取部が当該原稿の他方の面を読み取る両面同時読取モードのいずれかのモードで、当該各部に原稿読取動作を行わせる制御部と、
前記第１読取部及び前記第２読取部が前記原稿から読み取った各読取画像を、前記表示部にプレビュー表示するプレビュー指示をユーザから受け付けるプレビュー指示受付部とを備え、
前記プレビュー指示受付部に前記プレビュー指示が受け付けられたとき、前記制御部は、少なくとも、前記第２読取部に前記原稿の他方の面を読み取らせ、当該動作で読み取られた読取画像を前記プレビュー表示時の両面同時読取モードでの読取画像とし、その後、当該原稿を前記反転部に反転させ、前記第１読取部に当該原稿の他方の面を読み取らせ、当該動作で読み取られた読取画像を前記プレビュー表示時の両面反転読取モードでの読取画像とし、前記判別部が前記両面同時読取モードでの読取画像と前記両面反転読取モードでの読取画像のうち何れかがカラー画像であると判別した場合、前記制御部は前記両面同時読取モードでの読取画像及び前記両面反転読取モードでの読取画像を前記表示部にプレビュー表示させる画像読取装置。
【請求項２】
前記プレビュー指示受付部に前記プレビュー指示が受け付けられたとき、前記制御部は、前記第２読取部に前記原稿の他方の面を読み取らせると共に前記第１読取部に当該原稿の一方の面を読み取らせる両面同時読取モードの動作を行わせ、当該動作によって当該原稿の一方及び他方の面から読み取られた各読取画像を前記プレビュー表示時の両面同時読取モードでの読取画像とし、前記反転部が当該原稿を反転させた後に前記第１読取部が当該原稿の他方の面から読み取った読取画像と、前記両面同時読取モードでの動作において前記第１読取部が当該原稿の一方の面から読み取った読取画像とを合わせて前記プレビュー表示時の両面反転読取モードでの読取画像とする請求項１に記載の画像読取装置。
【請求項３】
原稿読取開始の指示をユーザから受け付ける読取開始指示受付部と、
前記両面反転読取モード又は両面同時読取モードのいずれかを選択するモード選択指示をユーザから受け付けるモード選択指示受付部とを更に備え、
前記制御部は、前記モード選択指示受付部に前記いずれかのモードを選択するモード選択指示が受け付けられ、前記読取開始指示受付部に前記原稿読取開始の指示が受け付けられた場合、当該選択されたモードでの原稿読取動作を前記原稿給紙部、第１読取部、第２読取部及び反転部のうちの所要各部に行わせ、当該所要各部による原稿読取動作においては、前記プレビュー表示時の原稿読み取り動作で既に読取が終了している原稿面については読取動作を前記所要各部に行わせず、前記プレビュー表示時に用いた各読取画像のデータのうちで当該選択されたモードに対応する読取画像のデータを、前記所要各部の原稿読取動作による当該原稿面の読取画像のデータとして用いる請求項１又は２に記載の画像読取装置。
【請求項４】
原稿読取開始の指示をユーザから受け付ける原稿読取開始指示受付部と、
前記両面反転読取モード又は両面同時読取モードのいずれかを選択するモード選択指示をユーザから受け付けるモード選択指示受付部とを更に備え、
前記制御部は、前記プレビュー表示時の原稿読み取り動作において、前記両面同時読取モードでの読取画像を得るために、前記原稿給紙部及び第２読取部に前記原稿の一方の面を読み取らせるとき、当該第２読取部での読取のために搬送されている原稿の他方の面を前記第１読取部に読み取らせておき、
さらに、前記制御部は、前記モード選択指示受付部に両面同時読取モードを選択する指示が受け付けられ、前記読取開始指示受付部に前記原稿読取開始の指示が受け付けられた場合には、両面同時読取モードでの原稿読取動作を前記原稿給紙部、第１読取部及び第２読取部に行わせ、当該原稿読取動作においては、前記プレビュー表示時の原稿読み取り動作で既に読取が終了している前記原稿の両面については当該各部に読取動作を行わせず、前記プレビュー表示時に読み取られた前記原稿両面の読取画像のデータを、当該各部の原稿読取動作による当該原稿面の読取画像のデータとして用いる請求項１に記載の画像読取装置。
【請求項５】
原稿読取開始の指示をユーザから受け付ける原稿読取開始指示受付部と、
前記両面反転読取モード又は両面同時読取モードのいずれかを選択するモード選択指示をユーザから受け付けるモード選択指示受付部とを更に備え、
前記制御部は、前記モード選択指示受付部に両面同時読取モードを選択する指示が受け付けられ、前記読取開始指示受付部に前記原稿読取開始の指示が受け付けられた場合には、両面同時読取モードでの原稿読取動作を前記原稿給紙部、第１読取部及び第２読取部に行わせ、当該原稿読取動作においては、前記プレビュー表示時の原稿読み取り動作で既に読取が終了している前記原稿の両面については当該各部に読取動作を行わせず、前記プレビュー表示時に読み取られた前記両面反転読取モードによる原稿読取動作での原稿両面の読取画像のデータを、当該各部による原稿読取動作での読取画像のデータとして用いる請求項２に記載の画像読取装置。
【請求項６】
前記第１読取部は、縮小光学系イメージセンサにより前記原稿の一方の面を読み取り、
前記第２読取部は、密着光学系イメージセンサにより前記原稿の一方の面を読み取る請求項１乃至請求項５のいずれかに記載の画像読取装置。
【請求項７】
請求項１乃至請求項６のいずれかに記載の画像読取装置と、
前記第１読取部及び第２読取部に読み取られた読取画像のデータに基づいて画像を記録紙に形成する画像形成部と、
前記画像形成部に画像形成動作を行わせる指示をユーザから受け付ける画像形成指示受付部とを備え、
前記制御部は、前記プレビュー表示後に、前記画像形成指示受付部に画像形成指示が受け付けられた場合、前記プレビュー表示時に用いた前記両面反転読取モード及び両面同時読取モードでの各読取画像のデータに基づいて前記画像形成部に記録紙に対する画像形成を行わせる画像形成装置。
【発明の詳細な説明】
【技術分野】
【０００１】
本発明は、原稿の両面を読み取ることが可能な画像読取装置、及びこの画像読取装置を備えた画像形成装置に関するものである。
【背景技術】
【０００２】
従来、複写機やファクシミリ等の画像形成装置では、自動原稿送り装置（ＡＤＦ：Automatic Document Feeder）を備えた画像読取装置によって、原稿の表面及び裏面を自動的に読み取っている。この原稿読取では、原稿の表面の画像をイメージセンサが読み取った後、その原稿の表裏を反転させて、原稿裏面の画像を再度イメージセンサが読み取る方式が広く採用されている。
【０００３】
さらには、下記特許文献１に示されるように、原稿トレイからの原稿搬送路において原稿の表裏両面側にそれぞれイメージセンサを設けることで、原稿を反転させることなく１回の原稿搬送（ワンパス）で原稿両面をほぼ同時に読み取る方式を採用した画像形成装置が知られている。この原稿両面をほぼ同時に読み取る方式を採用する画像形成装置では、原稿の一方の面の読み取りは、装置本体側に配設された縮小光学系イメージセンサで行い、原稿の他方の面の読み取りは、設置スペース、コスト等の関係上、自動原稿送り装置側に配設された密着光学系イメージセンサで行う場合が多い。
【０００４】
上記特許文献１に示された画像形成装置のように、原稿の表裏面を読み取るイメージセンサの光学的構成が異なると、それぞれに用いられる光源やレンズアレイ等の相違により読取画像の画質に差が生じる。また、イメージセンサの光学的構成が同一であったとしても設置条件や装置仕様等を要因として画質に差が生じる場合がある。そして、この読取画像の画質差が、記録紙の表裏面に形成される画像の画質の差となって現れる。そのため、このような画像形成装置においては、記録紙の表裏面の画質を同一にするために、１枚の原稿を反転させて２度同じイメージセンサ（縮小光学系イメージセンサ）に搬送して当該イメージセンサで原稿の表裏面を読み取らせる両面反転読取モードと、画像の読取時間を短縮するために原稿の表裏面を縮小光学系と密着光学系の２つのイメージセンサを用いてほぼ同時に読み取らせる両面同時読取モードの２つのモードを設けて、ユーザが所望のモードを選択できるようになっている。
【特許文献１】特開２００７−８２０３３号公報
【発明の開示】
【発明が解決しようとする課題】
【０００５】
しかしながら、原稿の表裏面を読み取るイメージセンサが異なる場合における各読取画像の画質の差は、実際に記録紙に画像形成を行ってからでなければ、ユーザが確認することはできなかった。そのため、ユーザが、上記各読取画像の画質の差を確認後、所望のモードで原稿両面の読取を行う場合には、既に画像形成を済ませている記録紙及び画像形成に用いたトナーが無駄になっていた。また、原稿画像がモノクロである場合は、(1)縮小光学系と密着光学系の２つのイメージセンサで読み取られた各読取画像の画質差、又は(2)イメージセンサの光学的構成が同一である場合の設置条件や装置仕様等を要因とする各イメージセンサで読み取られた各読取画像の画質差、は僅少であるため、ユーザは当該各読取画像の画質差を比較する必要が乏しい。
【０００６】
本発明は、上記の問題を解決するためになされたものであり、両面反転読取モード及び両面同時読取モードで原稿同一面を読み取った場合における各読取画像の画質の差を、原稿読取後早期に、真に当該画質差の比較が必要な場合に限ってユーザが確認することができ、記録紙及びトナーを無駄に消費しないようにすることを目的とする。
【課題を解決するための手段】
【０００７】
本発明における画像読取装置は、ユーザに対する操作案内を表示する表示部と、
原稿を給紙する原稿給紙部と、
前記原稿給紙部によって搬送されてくる前記原稿の一方の面を読み取る第１読取部と、
前記原稿給紙部によって搬送されてくる前記原稿の他方の面を読み取る第２読取部と、
前記第１読取部による前記原稿の一方の面の読み取りが終了した後、当該原稿をその他方の面が前記第１読取部に読み取られる状態として反転させて搬送する反転部と、
前記第１読取部又は前記第２読取部によって読み取られた原稿の画像がモノクロ画像又はカラー画像のいずれであるかを判別する判別部と、
前記第１読取部により前記原稿の一方の面を読み取り、前記反転部による当該原稿の反転後に、前記第１読取部が当該原稿の他方の面を読み取る両面反転読取モードと、前記原稿給紙部による一度の原稿搬送で、前記第１読取部が当該原稿の一方の面を読み取り、前記第２読取部が当該原稿の他方の面を読み取る両面同時読取モードのいずれかのモードで、当該各部に原稿読取動作を行わせる制御部と、
前記第１読取部及び前記第２読取部が前記原稿から読み取った各読取画像を、前記表示部にプレビュー表示するプレビュー指示をユーザから受け付けるプレビュー指示受付部とを備え、
前記プレビュー指示受付部に前記プレビュー指示が受け付けられたとき、前記制御部は、少なくとも、前記第２読取部に前記原稿の他方の面を読み取らせ、当該動作で読み取られた読取画像を前記プレビュー表示時の両面同時読取モードでの読取画像とし、その後、当該原稿を前記反転部に反転させ、前記第１読取部に当該原稿の他方の面を読み取らせ、当該動作で読み取られた読取画像を前記プレビュー表示時の両面反転読取モードでの読取画像とし、前記判別部が前記両面同時読取モードでの読取画像と前記両面反転読取モードでの読取画像のうち何れかがカラー画像であると判別した場合、前記制御部は前記両面同時読取モードでの読取画像及び前記両面反転読取モードでの読取画像を前記表示部にプレビュー表示させる。
【０００８】
この発明によれば、プレビュー指示受付部にプレビュー指示がユーザから受け付けられたとき、制御部は、判別部によって両面同時読取モードでの読取画像と前記両面反転読取モードでの読取画像のうち何れかがカラー画像と判別された場合に、両面反転読取モードでの読取画像及び両面同時読取モードでの読取画像を表示部にプレビュー表示させるので、原稿上の画像がモノクロ画像でありユーザにとって上記両モードでの各読取画像の画質差を比較する必要が乏しい場合にはプレビュー表示がされず、原稿上の画像がカラー画像でありユーザにとって上記両モードでの各読取画像の画質差の比較が必要な場合に限ってプレビュー表示が行われる。そして、ユーザは、当該プレビュー表示される各読取画像を視認することで、両面反転読取モード及び両面同時読取モードで原稿同一面を読み取った場合における各読取画像の画質差を、記録紙及びトナーを無駄に消費することなく、原稿読取後早期に確認することができる。
【０００９】
また、上記構成において、前記プレビュー指示受付部に前記プレビュー指示が受け付けられたとき、前記制御部は、前記第２読取部に前記原稿の他方の面を読み取らせると共に前記第１読取部に当該原稿の一方の面を読み取らせる両面同時読取モードの動作を行わせ、当該動作によって当該原稿の一方及び他方の面から読み取られた各読取画像を前記プレビュー表示時の両面同時読取モードでの読取画像とし、前記反転部が当該原稿を反転させた後に前記第１読取部が当該原稿の他方の面から読み取った読取画像と、前記両面同時読取モードでの動作において前記第１読取部が当該原稿の一方の面から読み取った読取画像とを合わせて前記プレビュー表示時の両面反転読取モードでの読取画像とすることが好ましい。
【００１０】
この構成によれば、判別部によって両面同時読取モードでの読取画像と前記両面反転読取モードでの読取画像のうち何れかがカラー画像と判別された場合、当該各モードで読み取られた原稿両面の画像を、ユーザが表示部で確認することができるので、各モードで原稿同一面を読み取った場合における各読取画像の画質差だけでなく、ユーザは、同一モードで原稿各面を読み取った場合における原稿の一方の面の読取画像と他方の面の読取画像との差も確認することができる。また、プレビュー表示時の両面反転読取モードによる原稿の一方面の読取画像は、両面同時読取モード時に読み取られた画像を用いるので、プレビュー表示のための原稿読取動作を簡略化し、プレビュー表示までに要する時間を短縮できる。
【００１３】
また、上記構成において、原稿読取開始の指示をユーザから受け付ける読取開始指示受付部と、
前記両面反転読取モード又は両面同時読取モードのいずれかを選択するモード選択指示をユーザから受け付けるモード選択指示受付部とを更に備え、
前記制御部は、前記モード選択指示受付部に前記いずれかのモードを選択するモード選択指示が受け付けられ、前記読取開始指示受付部に前記原稿読取開始の指示が受け付けられた場合、当該選択されたモードでの原稿読取動作を前記原稿給紙部、第１読取部、第２読取部及び反転部のうちの所要各部に行わせ、当該所要各部による原稿読取動作においては、前記プレビュー表示時の原稿読み取り動作で既に読取が終了している原稿面については読取動作を前記所要各部に行わせず、前記プレビュー表示時に用いた各読取画像のデータのうちで当該選択されたモードに対応する読取画像のデータを、前記所要各部の原稿読取動作による当該原稿面の読取画像のデータとして用いるものであることが好ましい。
【００１４】
この構成によれば、制御部が、ユーザによる指示で原稿読取動作が行われる時には、プレビュー表示時の原稿読み取り動作で既に読取が終了している原稿面の読取動作を上記所要各部に行わせず、プレビュー表示時の各読取画像のデータを用いるので、画像形成や原稿画像データ保存時等の原稿読取動作時における重複した原稿読取動作を省略して、原稿読取動作を短時間で済ませることができる。
【００１５】
また、上記構成において、原稿読取開始の指示をユーザから受け付ける原稿読取開始指示受付部と、
前記両面反転読取モード又は両面同時読取モードのいずれかを選択するモード選択指示をユーザから受け付けるモード選択指示受付部とを更に備え、
前記制御部は、前記プレビュー表示時の原稿読み取り動作において、前記両面同時読取モードでの読取画像を得るために、前記原稿給紙部及び第２読取部に前記原稿の一方の面を読み取らせるとき、当該第２読取部での読取のために搬送されている原稿の他方の面を前記第１読取部に読み取らせておき、
さらに、前記制御部は、前記モード選択指示受付部に両面同時読取モードを選択する指示が受け付けられ、前記読取開始指示受付部に前記原稿読取開始の指示が受け付けられた場合には、両面同時読取モードでの原稿読取動作を前記原稿給紙部、第１読取部及び第２読取部に行わせ、当該原稿読取動作においては、前記プレビュー表示時の原稿読み取り動作で既に読取が終了している前記原稿の両面については当該各部に読取動作を行わせず、前記プレビュー表示時に読み取られた前記原稿両面の読取画像のデータを、当該各部の原稿読取動作による当該原稿面の読取画像のデータとして用いるものであることが好ましい。
【００１６】
この構成によれば、プレビュー表示時の原稿読み取り動作における両面同時読取モードでの第２読取部による原稿の一方の面の読取動作時に、第１読取部にも読み取らせておいた当該原稿の他方の面の読取画像を、制御部が、ユーザによる原稿読取開始指示で後に両面同時読取モードが選択された場合に、第１読取部によって読み取られた上記原稿の一方の面の読取画像と共に用いるので、プレビュー表示時には上記原稿の一方の面の読取画像しか表示していなかった場合であっても、画像形成や原稿画像データ保存時等の原稿読取動作時における重複した原稿読取動作を省略して、原稿読取動作を短時間で済ませることができる。
【００１７】
また、上記構成において、原稿読取開始の指示をユーザから受け付ける原稿読取開始指示受付部と、
前記両面反転読取モード又は両面同時読取モードのいずれかを選択するモード選択指示をユーザから受け付けるモード選択指示受付部とを更に備え、
前記制御部は、前記モード選択指示受付部に両面同時読取モードを選択する指示が受け付けられ、前記読取開始指示受付部に前記原稿読取開始の指示が受け付けられた場合には、両面同時読取モードでの原稿読取動作を前記原稿給紙部、第１読取部及び第２読取部に行わせ、当該原稿読取動作においては、前記プレビュー表示時の原稿読み取り動作で既に読取が終了している前記原稿の両面については当該各部に読取動作を行わせず、前記プレビュー表示時に読み取られた前記両面反転読取モードによる原稿読取動作での原稿両面の読取画像のデータを、当該各部による原稿読取動作での読取画像のデータとして用いることが好ましい。
【００１８】
この構成によれば、プレビュー表示時の原稿読み取り動作後、ユーザによる原稿読取開始指示で両面同時読取モードが選択された場合であっても、既にプレビュー表示時に原稿読取動作が行われている原稿については、制御部が、プレビュー表示時の両面反転読取モードで得た読取画像を用いるので、画像形成や原稿画像データ保存時等の原稿読取動作時における重複した原稿読取動作を省略して、原稿読取動作を短時間で済ませることができると共に、上記プレビュー表示時に原稿読取動作が既に行われている原稿についての両面の画像は、密着光学系イメージセンサよりも色再現性に優れた縮小光学系イメージセンサで得た原稿画像によって、画像形成やデータ保存を行うことができる。
【００２１】
また、上記構成において、前記第１読取部は、縮小光学系イメージセンサにより前記原稿の一方の面を読み取り、
前記第２読取部は、密着光学系イメージセンサにより前記原稿の一方の面を読み取るものであることが好ましい。
【００２２】
また、本発明における画像形成装置は、上記構成のいずれかの画像読取装置と、
前記第１読取部及び第２読取部に読み取られた読取画像のデータに基づいて画像を記録紙に形成する画像形成部と、
前記画像形成部に画像形成動作を行わせる指示をユーザから受け付ける画像形成指示受付部とを備え、
前記制御部は、前記プレビュー表示後に、前記画像形成指示受付部に画像形成指示が受け付けられた場合、前記プレビュー表示時に用いた前記両面反転読取モード及び両面同時読取モードでの各読取画像のデータに基づいて前記画像形成部に記録紙に対する画像形成を行わせるものである。
【００２３】
表示部は例えばＬＣＤやＣＲＴ等からなるため、表示部にプレビュー表示される画像の色味は、記録紙に形成された画像の色味とは異なるが、この発明によれば、ユーザは、プレビュー表示の対象となった画像が実際に記録紙上に形成されたときの色味を視認して、各モード別又は表裏面別の画像色味の差異を比較することができる。
【発明の効果】
【００２４】
本発明によれば、両面反転読取モード及び両面同時読取モードで原稿同一面を読み取った場合における各読取画像の画質の差を、原稿読取後早期に、真に当該画質差の比較が必要な場合に限ってユーザが確認することができ、記録紙及びトナーを無駄に消費しないようにすることができる。
【発明を実施するための最良の形態】
【００２５】
以下、本発明の一実施形態に係る画像読取装置及び画像形成装置について図面を参照して説明する。尚、以下の実施形態では、本発明における画像読取装置及び画像形成装置を、カラーコピー、スキャナ、ファクシミリ、プリンタ等の機能を備えた複合機に集約した形態を例に説明する。
【００２６】
図１は本発明に係る画像形成装置の一実施形態である複合機１の内部構成を模式的に示した縦断面図である。複合機１は、画像読取装置２と装置本体３とを備える。画像読取装置２は、原稿給紙部２１とスキャナ部２２とＣＩＳ２３１と操作部５と、更に後述する反転機構及び制御部６１を備えてなる。原稿給紙部２１はＡＤＦ（Automatic Document Feeder）を備え、原稿トレイ２１１、ピックアップローラ２１２、搬送ドラム２１３、排紙ローラ２１４及び排紙トレイ２１５を有する。原稿トレイ２１１には、読取対象とされる原稿が載置される。原稿トレイ２１１に載置された原稿は１枚ずつピックアップローラ２１２によって取り込まれて搬送ドラム２１３へ搬送される。搬送ドラム２１３を経由した原稿は排紙ローラ２１４によって排紙トレイ２１５へ排出される。
【００２７】
スキャナ部（第１読取部）２２は、原稿の画像を光学的に読み取って画像データを生成するものである。スキャナ部２２は、プラテンガラス２２１、光源２２２、第１ミラー２２３、第２ミラー２２４、第３ミラー２２５、第１キャリッジ２２６、第２キャリッジ２２７、結像レンズ２２８、ＣＣＤ（Charge Coupled Device）２２９、第２ミラー２２４、第３ミラー２２５、第１キャリッジ２２６、第２キャリッジ２２７、結像レンズ２２８を備える。このスキャナ部２２は、光源２２２として冷陰極蛍光管等の白色蛍光ランプが用いられ、上記第１ミラー２２３、第２ミラー２２４、第３ミラー２２５、第１キャリッジ２２６、第２キャリッジ２２７及び結像レンズ２２８により、原稿からの光をＣＣＤ２２９に導くものである。スキャナ部２２は、光源２２２として冷陰極蛍光管等の白色蛍光ランプを用いていることから、光源として３色ＬＥＤ等が用いられる後述のＣＩＳ２３１よりも色再現性に優れる。
【００２８】
プラテンガラス２２１には、上記原稿給紙部２１によらない原稿読取時に、ユーザの手動により原稿が載置される。プラテンガラス２２１は、光源２２２及び第１ミラー２２３は第１キャリッジ２２６によって支持され、第２ミラー２２４及び第３ミラー２２５は第２キャリッジ２２７によって支持されている。
【００２９】
画像読取装置２の原稿読取方式としては、プラテンガラス２２１上に載置された原稿をスキャナ部２２が読み取るフラットベッド読取モードと、原稿を原稿給紙部２１（ＡＤＦ）によって取り込み、その搬送途中で原稿を読み取るＡＤＦ読取モードがある。フラットベッド読取モードでは、光源２２２がプラテンガラス２２１上に載置された原稿を照射し、主走査方向１ライン分の反射光が第１ミラー２２３、第２ミラー２２４、第３ミラー２２５の順に反射して、結像レンズ２２８に入射する。結像レンズ２２８に入射した光はＣＣＤ２２９の受光面で結像される。ＣＣＤ２２９は一次元のイメージセンサであり、１ライン分の原稿の画像を同時に処理する。第１キャリッジ２２６及び第２キャリッジ２２７は、主走査方向と直交する方向（副走査方向、矢印Ｙ方向）に移動可能に構成されており、１ライン分の読み取りが終了すると、当該主走査方向と直交する方向に第１キャリッジ２２６及び第２キャリッジ２２７が移動し、次のラインの読み取りが行われる。
【００３０】
ＡＤＦ読取モードでは、原稿給紙部２１が、原稿トレイ２１１に載置された原稿がピックアップローラ２１２によって１枚ずつ取り込む。このとき、第１キャリッジ２２６及び第２キャリッジ２２７は、読取窓２３０の下方位置に配置される。原稿給紙部２１による原稿搬送で、原稿が搬送ドラム２１３から排紙トレイ２１５への搬送経路に設けられた読取窓２３０上を通過するとき、光源２２２が原稿を照射し、主走査１ライン分の反射光が第１ミラー２３３、第２ミラー２２４、第３ミラー２２５の順に反射して、結像レンズ２２８に入射する。結像レンズ２２８に入射した光はＣＣＤ２２９の受光面で結像される。続いて原稿は原稿給紙部２１によって搬送され、次のラインが読み取られる。
【００３１】
更に、原稿給紙部２１は切換ガイド２１６、反転ローラ２１７及び反転搬送路２１８からなる反転機構（反転部）を有する。この反転機構が、１回目のＡＤＦ読み取りによって表面（原稿の一方の面）がスキャナ部２２に読み取られた原稿を表裏反転させて読取窓２３０（スキャナ部２２）に再搬送することで、再度スキャナ部２２によって裏面（原稿の他方の面）の読み取りが行わせる。この反転機構は、両面読み取り時にのみ動作し、片面読み取り時は動作しない。片面読み取り時及び両面読み取り時において裏面の読み取り後、切換ガイド２１６は上側に切り替えられ、搬送ドラム２１３を経た原稿は排紙ローラ２１４によって排紙トレイ２１５に排紙される。両面読み取り時における表面読み取り後、切換ガイド２１６は下側に切り替えられ、搬送ドラム２１３を経た原稿は反転ローラ２１７によって反転搬送路２１８へ搬送される。その後、切換ガイド２１６は上側へ切り替わり、反転ローラ２１７が逆回転して原稿を搬送ドラム２１３へ再給紙する。以下、反転機構を用いて原稿の両面を読み取らせるモードを両面反転読取モード又は高画質モードと表記する。
【００３２】
更に、本実施形態の画像読取装置２は、ＡＤＦ読取モード時において、上記で説明したように原稿の搬送途中でスキャナ部２２（ＣＣＤ２２９）によって原稿の表面の読み取りを行わせると同時に、ＣＩＳ（第２読取部）２３１によって原稿の裏面の読み取りを行わせることが可能である。この場合、原稿トレイ２１１から原稿給紙部２１により搬送された原稿は、読取窓２３０上を通過するときにＣＣＤ２２９によって表面が読み取られ、更にＣＩＳ２３１の配置箇所を通過する際に裏面が読み取られる。なお、ＣＩＳ２３１では、光源としてＲＧＢの３色ＬＥＤ等が用いられる。このようにＣＣＤ２２９とＣＩＳ２３１を用いることで、原稿給紙部２１による原稿トレイ２１１から排紙トレイ２１５までの一回の原稿搬送操作（ワンパス）によって原稿の表裏両面の読み取りが可能となる。以下、このようにＣＣＤ２２９とＣＩＳ２３１を用いて原稿の両面を読み取らせるモードを両面同時読取モード又は高速モードと表記する。
【００３３】
ここで、高画質モード（両面反転読取モード）と高速モード（両面同時読取モード）について説明する。高画質モードでは原稿両面の読み取りが同じイメージセンサ（ＣＣＤ２２９）によって行われるため、取得した画像データに基づいて両面印刷を行っても、両面の印刷画像の画質に差はない。しかし、高速モードでは原稿の表面はＣＣＤ２２９、裏面はＣＩＳ２３１という異なるイメージセンサで読み取りが行われるため、特にカラー原稿の場合、それぞれのイメージセンサが取得した画像データに基づいて両面印刷を行うと、両面の印刷画像の画質に差が生じる。これは、ＣＣＤ２２９、ＣＩＳ２３１が原稿読み取りの際に用いる上述した光源の分光分布の違いによるものの他に、ＣＣＤ２２９は複数の受光素子がワンチップ上に形成されてイメージセンサとして構成されているのに対し、ＣＩＳ２３１においては複数の固体撮像素子が連結されてイメージセンサとして構成されているため固体撮像素子間に感度のバラつきが生じ、これが画質差の原因となっていると考えられる。
【００３４】
従って、本実施形態の複合機１においては、上記画質差の発生を解決するために、ＡＤＦ読取モードを用いて原稿の両面読み取りを行う際、ユーザは高画質モード（両面反転読取モード）又は高速モード（両面同時読取モード）の何れかを選択することができるようになっている。つまり、両面の印刷画像の画質を揃えたい場合は高画質モード（両面反転読取モード）、両面の印刷画像の画質に差はあっても、読取時間の短縮化を優先させたい場合は高速モード（両面同時読取モード）とする等、ユーザは状況に応じてモードを選択することができる。
【００３５】
さらに、複合機１は、装置本体３と、装置本体３の左方に配設されたスタックトレイ６とを有している。装置本体３は、複数の給紙カセット４６１と、給紙カセット４６１から記録紙を１枚ずつ繰り出して記録部４０へ搬送する給紙ローラ４６２と、給紙カセット４６１から搬送されてきた記録紙に画像を形成する記録部４０とを備える。また、手差しトレイ４７１を備え、この手差しトレイ４７１からは何れの給紙カセットにも収納されていないサイズの用紙や、既に一方の面に画像形成がなされている用紙（裏紙）、ＯＨＰシートのような任意の記録媒体が載置可能であり、給紙ローラ４７２によって１枚ずつ装置本体３内に給紙される。
【００３６】
記録部（画像形成部）４０は、感光体ドラム４３の表面から残留電荷を除電する除電装置４２１と、除電後の感光体ドラム４３の表面を帯電させる帯電装置４２２と、スキャナ部２２で取得された画像データに基づいてレーザ光を出力して感光体ドラム４３表面を露光し、当該感光体ドラム４３の表面に静電潜像を形成する露光装置４２３と、上記静電潜像に基づいて感光体ドラム４３上に、シアン（Ｃ）、マゼンタ（Ｍ）、イエロー（Ｙ）及びブラック（Ｋ）の各色のトナー像を形成する現像装置４４Ｋ，４４Ｙ，４４Ｍ，４４Ｃと、感光体ドラム４３に形成された各色のトナー画像が転写されて重ね合わせされる転写ドラム４９と、転写ドラム４９上のトナー像を用紙に転写させる転写装置４１と、トナー像が転写された用紙を加熱してトナー像を用紙に定着させる定着装置４５とを備えている。なお、シアン、マゼンタ、イエロー及びブラックの各色に対するトナーの供給は、図略のトナー供給容器（トナーカートリッジ）から行われる。また、記録部４０を通過した記録紙をスタックトレイ６又は排出トレイ４８まで搬送する搬送ローラ４６３，４６４等が設けられている。
【００３７】
記録紙の両面に画像を形成する場合は、記録部４０で記録紙の一方の面に画像を形成した後、この記録紙を排出トレイ４８側の搬送ローラ４６３にニップされた状態とする。この状態で搬送ローラ４６３を反転させて記録紙をスイッチバックさせ、記録紙を用紙搬送路Ｌに送って記録部４０の上流域に再度搬送し、記録部４０により他方の面に画像を形成した後、記録紙をスタックトレイ６又は排出トレイ４８に排出する。
【００３８】
また、装置本体３の前方には、ユーザが操作画面や各種メッセージ等を視認することができる表示部や、種々の操作命令を入力するための操作ボタンを有する操作部５が備えられている。図２は操作部５の正面図の一例である。この操作部５は、表示部（表示部）５１、タッチパネル（モード選択指示受付部、プレビュー指示受付部）５２、数字キー群５３、各種操作ボタン５４〜５７、機能選択ボタン５８等を備える。表示部５１は、ＬＣＤ（Liquid Crystal Display）やＥＬＤ（Electronic Luminescent Display）等によって構成され、紙サイズ選択、倍率選択、濃度選択等のユーサーに対する操作案内画面が表示される。この表示部５１はタッチパネル５２と一体的に形成されている。タッチパネル５２は、ユーザによるタッチ操作がなされたら、タッチ位置を検知して検知信号を、後述する制御部へ出力するものである。
【００３９】
数字キー群５３は、例えば、複合機１のコピー機能を動作させる際はコピー枚数を、ファクシミリ機能を動作させる際は送信先の電話番号等を入力するためのものである。節電ボタン５４は、複合機１を節電（低電力）モードにするボタンである。スタートボタン５５はコピー動作やスキャナ動作等を開始させるボタンであり、ストップ／クリアボタン５６はコピー動作やスキャナ動作等の停止、入力操作の取り消しを行うボタンである。リセットボタン５７は表示部５１の表示や各種設定を初期状態又は標準動作状態にするボタンである。機能選択ボタン５８は、コピー機能、プリンタ機能、スキャナ機能、ファクシミリ機能を設定するためのボタンである。
【００４０】
図３は、複合機１の電気的構成を示すブロック図である。尚、図１及び図２に示した各部と同一のものには同符号を付して詳細な説明は省略する。
【００４１】
複合機１は、制御部６１、原稿給紙部２１、スキャナ部２２、ＣＩＳ２３１、操作部５、画像処理部６４、記録部４０及び通信部６６を備えて構成される。
【００４２】
制御部６１は、複合機１の全体動作制御を司るものであり、ＣＰＵ等によって構成される。上記原稿給紙部２１、スキャナ部２２、ＣＩＳ２３１、操作部５、画像処理部６４、記録部４０及び通信部６６は、制御部６１による制御の下で動作する。制御部６１は、ユーザから操作部５に入力された各種の指示信号等に応じて、図略のＲＯＭ又はＨＤＤに記憶されている動作制御プログラムに基づいた処理を実行し、各機能部への指示信号の出力、データ転送等を行って複合機１を統括的に制御する。また、制御部６１は、後述するプレビュー表示のために必要な動作制御を行う。
【００４３】
制御部６１は、モード設定部６１１を有する。モード設定部６１１は、上述した両面反転読取モード及び両面同時読取モードのそれぞれのモードでの、原稿給紙部２１、スキャナ部２２、ＣＩＳ２３１及び反転機構のうちの所要各部による予め定められた動作及び動作制御を記憶している。モード設定部６１１は、ユーザによる操作部５の操作で入力される両面反転読取モード又は両面同時読取モードのいずれかを選択するモード選択指示に従って、上記所要各部に両面反転読取モード又は両面同時読取モードのいずれの動作を行わせるかを設定するものである。制御部６１は、当該モード設定部６１１によって設定されたモードで、上記所要各部を動作させる。
【００４４】
さらに、制御部６１は、オートカラーセレクト部（判別部）６１２を有する。オートカラーセレクト（以下、ＡＣＳ）部６１２は、スキャナ部２２（以下、ＣＩＳ２３１との違いを明瞭にするためＣＣＤ２２９として表記する）及びＣＩＳ２３１によって読み取られた画像がモノクロ（白黒）画像であるかカラー画像であるかを判別する。ＡＣＳ部６１２によるＡＣＳ判定は、例えば以下のようにして行われる。まず、ＡＣＳ部６１２は、ＣＣＤ２２９及びＣＩＳ２３１によって読み取られた画像のデータについて、当該画像データの１画素毎に，それがカラー画素であるか白黒画素であるかを判定する。この判定方法は，前記画像データのＲ，Ｇ，Ｂ夫々の値や，判定対象画素周辺との彩差（色差）等により，前記画像データの各画素がカラーであるか白黒であるかを判定する周知の方法であるので詳細説明は省略する。ここで、ＡＣＳ部６１２は、前記判定によりカラーと判定した場合、当該原稿におけるカラー画素数をカウントアップする。ＡＣＳ部６１２は、当該カウントしたカラー画素数が予め設定された閾値に達すると、当該読み取られた原稿の画像がカラー画像であると判別する。また、ＡＣＳ部６１２は、上記カラー画素又はモノクロ画素の判別対象となる残りの画素が全てカラー画素としてカウントしても上記閾値に達しないと判断すると、この時点で、当該読み取られた原稿の画像がモノクロ画像であると判別する。なお、当該ＡＣＳ判定処理は、あくまでも一例であり、ＡＣＳ部６１２によるＡＣＳ判定を上記処理に限定するものではない。
【００４５】
原稿給紙部２１は、ＡＤＦ読取モードで原稿のコピーやスキャンが行われる際に、原稿トレイ２１１に載置された原稿を自動的に取り込んで、ＣＣＤ２２９やＣＩＳ２３１による原稿の読み取りが可能なように搬送する。
【００４６】
表示部５１は、各種画面を表示するためのものであり、制御部６１から入力される表示信号に基づいて表示画面を表示する。
【００４７】
画像処理部６４は、画像データに関する各種画像処理を行うものである。例えば、画像処理部６４は、ＣＣＤ２２９又はＣＩＳ２３１によって取得された画像データや、ネットワーク接続されたパーソナルコンピュータ、公衆回線で接続されたファクシミリ装置等から通信部６６を介して転送されてくる画像データに対して、レベル補正、ガンマ補正等の補正処理、画像データの圧縮又は伸長処理、拡大又は縮小処理などの画像加工処理を行う。
【００４８】
記録部４０は、ＣＣＤ２２９又はＣＩＳ２３１によって得られた画像データや、上記パーソナルコンピュータやファクシミリ装置等から通信部６６を介して転送された画像データに基づいた画像を記録紙に形成する。
【００４９】
通信部６６は、ネットワークインターフェースを用い、ネットワークを介して接続されたコンピュータやファクシミリ装置等の外部装置との間で種々のデータの送受信を行うものである。
【００５０】
次に、複合機１によるプレビュー表示処理及び原稿読取処理の第１実施形態を説明する。図４は、複合機１によるプレビュー表示処理及び原稿読取処理の第１実施形態を示すフローチャートである。図５〜図９は、表示部５１の画面例を示したものである。
【００５１】
例えば、ユーザによりフェイスアップ状態に揃えられた原稿束が原稿トレイ２１１に載置され、ユーザによる操作部５の操作により、複合機１のコピー機能が選択されると、制御部６１は、図５に示すようなコピー機能時の標準画面を表示部５１に表示させる。この標準画面において、ユーザによって機能リストキー１０１が押下されると、制御部６１は、図６に示すような機能リスト画面を表示部５１に表示させる。更にユーザによって両面／分割キー１０２が押下されると、制御部６１は、図７に示すような両面／分割画面を表示部５１に表示させる。なお、上記各画面に表示されるキー、及び以下に示す各画面で表示されるキーは、タッチパネル機能によりユーザからの指示の入力を受け付ける。
【００５２】
図７に示す両面／分割画面では、複数の原稿の片面を読み取って片面印刷する指示の入力を受け付けるキー１０３、原稿の片面を読み取って両面印刷する指示の入力を受け付けるキー１０４、原稿の両面を読み取って片面印刷する指示の入力を受け付けるキー１０５、原稿の両面を読み取って両面印刷する指示の入力を受け付けるキー１０６、見開き原稿を読み取って片面印刷する指示の入力を受け付けるキー１０７、見開き原稿を読み取って両面印刷する指示の入力を受け付けるキー１０８等の設定キーが、制御部６１によって表示される。この両面／分割画面で、例えばキー１０６がユーザによる操作部５の操作で選択されると（Ｓ１でＹＥＳ）、制御部６１は、図８に示すように、当該両面／分割画面において、表示部５１の表示領域の中央部付近に、高画質モードキー１０９及び高速モードキー１１０のモード設定キー、さらに、プレビュー比較キー１１１を表示させる。高画質モードキー１０９は、ユーザによって押下されると、タッチパネル機能により、上記高画質モードでの原稿両面読取指示を受け付ける。同様に、高速モードキー１１０は、ユーザによる押下に基づいて、上記高速モードでの原稿両面読取指示を受け付ける。また、プレビュー比較キー１１１は、ユーザによる押下に基づいて、高画質モード及び高速モードで原稿を読み取った各読取画像を、表示部５１にプレビュー表示するプレビュー指示をユーザから受け付ける。高画質モードキー１０９及び高速モードキー１１０のモード設定キーは、特許請求の範囲のモード選択指示受付部の一例である。プレビュー比較キー１１１は、特許請求の範囲のプレビュー指示受付部の一例である。
【００５３】
そして、ユーザによって高画質モードキー１０９が押下された場合（Ｓ２で「高画質モード」）、モード設定部６１１は原稿読取動作を高画質モード（両面反転読取モード）に設定し、更にユーザによりスタートボタン５５が押下されると、制御部６１は、原稿給紙部２１に対して原稿の取り込みを指示する信号を出力し、原稿給紙部２１が原稿トレイ２１１に載置された原稿を取り込み（Ｓ３）、ＣＣＤ２２９が下方に配置される読取窓２３０に向けて原稿を搬送する。このとき、原稿給紙部２１は、原稿束の最上部の原稿から給紙する（以下、各実施形態について同様）。
【００５４】
ＣＣＤ２２９は、読取窓２３０まで搬送されてきた原稿の表面を読み取る（Ｓ４）。この原稿表面の読取後、反転機構が当該原稿を表裏反転して読取窓２３０（ＣＣＤ２９）に再搬送する（Ｓ５）。続けてＣＣＤ２２９が、読取窓２３０まで再搬送されてきた原稿の裏面を読み取り（Ｓ６）、原稿給紙部２１は、当該表裏面読取後の原稿を排紙トレイ２１５に排紙する（Ｓ７）。制御部６１は、Ｓ３乃至Ｓ７の処理を、原稿トレイ２１１に載置されている全ての原稿に対して繰り返す。
【００５５】
次に制御部６１は、画像処理部６４に対して、ＣＣＤ２２９によって取得された各原稿表裏面の画像データについて必要な画像処理を行わせ、当該画像処理後の画像データに基づいて、記録紙の表裏面に、対応する画像データの画像形成を記録部４０に行わせる（Ｓ８）。当該Ｓ８の画像形成処理は、必ずしも、原稿トレイ２１１に載置されている全ての原稿に対してＳ３乃至Ｓ７の処理が終了してから行われなければならないものではなく、制御部６１は、各原稿に対するＳ３乃至Ｓ７の処理中であっても、画像形成が可能な画像データについての記録紙への画像形成処理（Ｓ８）を開始させるようにしてもよい。
【００５６】
また、Ｓ２においてユーザによって高速モードキー１１０が押下された場合、（Ｓ２で「高速モード」）、モード設定部６１１は原稿読取動作を高速モード（両面同時読取モード）に設定し、更にユーザによりスタートボタン５５が押下されると、制御部６１は、原稿給紙部２１に対して原稿の取り込みを指示する信号を出力し、原稿給紙部２１が原稿トレイ２１１に載置された原稿を取り込み（Ｓ９）、ＣＣＤ２２９及びＣＩＳ２３１による読取位置に向けて原稿を搬送する。原稿給紙部２１による当該一回の原稿搬送動作中に、ＣＣＤ２２９は、読取窓２３０まで搬送されてきた原稿の表面を読み取り、ＣＩＳ２３１が当該原稿の裏面を読み取る（Ｓ１０）。原稿給紙部２１は、当該表裏面読取後の原稿を排紙トレイ２１５に排紙する（Ｓ７）。制御部６１が、Ｓ９，Ｓ１０，Ｓ７の処理を、原稿トレイ２１１に載置されている全ての原稿に対して繰り返す処理と、各原稿表裏面の画像データに基づく画像形成処理（Ｓ８）は、高画質モードの場合と同様に行われる。
【００５７】
一方、Ｓ２においてユーザによってプレビュー比較キー１１１が押下された場合（Ｓ２で「プレビュー比較」）、制御部６１は、高画質モード及び高速モードでの原稿読取時における各読取画像を並べて表示部５１にプレビュー表示するために必要な一連の処理を所要各部に行わせる。すなわち、制御部６１は、原稿給紙部２１に対して原稿の取り込みを指示する信号を出力し、原稿給紙部２１が原稿トレイ２１１に載置された原稿を取り込み（Ｓ１１）、ＣＣＤ２２９及びＣＩＳ２３１による読取位置に向けて原稿を搬送する。原稿給紙部２１による当該一回の原稿搬送動作中に、ＣＣＤ２２９は、読取窓２３０まで搬送されてきた原稿の表面を読み取り、ＣＩＳ２３１が当該原稿の裏面を読み取る（Ｓ１２）。すなわち、高速モードでの動作と同様の動作が行われる。
【００５８】
この原稿表面の読取後、反転機構が当該原稿を表裏反転し、当該原稿を原稿給紙部２１が読取窓２３０（ＣＣＤ２９）に再搬送する（Ｓ１３）。ＣＣＤ２２９は、読取窓２３０まで搬送されてきた原稿の裏面を読み取る（Ｓ１４）。当該ＣＣＤ２２９による原稿裏面の読取後、原稿給紙部２１は、当該表裏面読取後の原稿を排紙トレイ２１５に排紙する（Ｓ１５）。制御部６１は、Ｓ１１乃至Ｓ１５の処理を、原稿トレイ２１１に載置されている第１枚目の原稿に対して行う。
【００５９】
なお、Ｓ１２及びＳ１４で読み取られた各読取画像のデータは、制御部６１に内蔵又は制御部に接続された図略のメモリに記憶され、後述するプレビュー表示又は試験プリントのために用いられる。
【００６０】
続いて、制御部６１は、上記Ｓ１２及びＳ１４で読み取った原稿画像を用いて、プレビュー画像用の縮小画像を生成し、表示部５１に表示させる（Ｓ１６）。すなわち、制御部６１は、Ｓ１２でＣＣＤ２２９に読み取られた原稿表面の画像と、同じくＳ１２でＣＩＳ２３１によって読み取られた原稿裏面の画像とから、表示部５１での表示用に最適な予め定められたサイズの縮小画像を各画像について生成し、図９に示すように、これらを、高速モードで原稿を読み取った場合における原稿表裏面の画像例として、表示部５１に表示させる。また、制御部６１は、Ｓ１２でＣＣＤ２２９に読み取られた原稿表面の画像と、Ｓ１４でＣＣＤ２２９によって読み取られた原稿裏面の画像とから、表示部５１での表示用に最適な予め定められたサイズの縮小画像を各画像について生成し、図９に示すように、これらを、高画質モードで原稿を読み取った場合における原稿表裏面の画像例として、表示部５１に表示させる。このとき、制御部６１は、表示部５１の両面／分割画面に、高速モードでの画像例の上方に高速モードキー１１０を配置し、高画質モードの画像例の上方に高画質モードキー１０９を配置する。更に制御部６１は、これらの画像例の側方に、プレビュー比較キー１１１及び試験プリントキー１１２を配置して表示させる。
【００６１】
この時点では、ユーザは、表示部５１に表示されている各モードの画像例を比較参照して、各モードの画質差を確認した上で、高画質モードキー１０９又は高速モードキー１１０の押下により、所望の読取モードでの原稿読取を開始させることができる。
【００６２】
試験プリントキー１１２は、ユーザによる押下に基づいて、表示部５１に表示されている高画質モード及び高速モードでの各読取画像に基づく記録紙表裏面への画像形成指示（試験プリント指示）をユーザから受け付けるキーである。ここで、ユーザによって、試験プリントキー１１２が押下され、試験プリント指示が試験プリントキー１１２（特許請求の範囲の画像形成指示受付部の一例）に受け付けられると（Ｓ１７でＹＥＳ）、制御部６１は、記録部４０に、上記表示部５１に表示されている高画質モード及び高速モードでの各読取画像に基づく記録紙表裏面への画像形成を行わせる（Ｓ１８）。ＬＣＤ等からなる表示部５１に表示される画像の色味は、記録紙に形成された画像の色味とは異なるが、この試験プリントによれば、ユーザは、実際に記録紙上に形成された画像の色味を視認して、各モード別又は表裏面別の画像色味の差異を比較することができる。
【００６３】
上記試験プリント後、又は、試験プリントキー１１２が押下されない場合は、処理はＳ２に戻る。なお、いずれの場合も、制御部６１は、表示部５１に、図９に示す画面を表示させる。
【００６４】
この時点でも、制御部６１は、表示部５１の両面／分割画面に、プレビュー比較キー１１１も表示させているので（図９）、例えば、ユーザは、プレビュー表示のために読み取られた第１枚目の原稿を排紙トレイ２１５から原稿トレイ２１１の第１枚目原稿位置に戻してからプレビュー比較キー１１１を押下すれば、再度上記と同じ原稿についてプレビュー画像を表示部５１に表示させることができ、また、ユーザがプレビュー表示のために読み取られた第１枚目の原稿を排紙トレイ２１５から原稿トレイ２１１の第１枚目原稿位置に戻さずにプレビュー比較キー１１１を押下すれば、第２枚目の原稿についてプレビュー画像を表示部５１に表示させることができる。
【００６５】
なお、Ｓ１において原稿両面を読み取るキー以外のキー（キー１０３、１０４、１０７及び１０８）がユーザによって押下された場合（Ｓ１でＮＯ）、原稿給紙部２１及びスキャナ部２２に原稿片面（表面）の読取動作を行わせる。すなわち、制御部６１は原稿給紙部２１に対して原稿の取り込みを指示する信号を出力して、原稿給紙部２１に原稿トレイ２１１に載置された原稿を取り込ませる（Ｓ１９）。そして、ＣＣＤ２２９が読取窓２３０下方で原稿の表面を読み取る（Ｓ２０）。原稿給紙部２１は、当該表面読取後の原稿を排紙トレイ２１５に排紙する（Ｓ７）。制御部６１は、Ｓ１９，Ｓ２０，Ｓ７の処理を、原稿トレイ２１１に載置されている全ての原稿に対して繰り返し、各原稿表面の画像データに基づく画像形成処理を行う（Ｓ８）。
【００６６】
なお、上記では、プレビュー表示処理時に（Ｓ１１乃至Ｓ１８）、両面同時読取モードと同様の処理を行った後は、ＣＣＤ２２９による原稿裏面の読取動作のみを行うようにしているが（Ｓ１４）、これに代えて、両面同時読取モードと同様の処理を行った後、両面反転読取モードと同様の動作を行って、原稿表裏面の各面をＣＣＤ２２９で読み取るようにしてもよい。
【００６７】
次に、複合機１によるプレビュー表示処理及び原稿読取処理の第２実施形態を説明する。図１０は、複合機１によるプレビュー表示処理及び原稿読取処理の第２実施形態を示すフローチャートである。図１１は、表示部５１の画面例を示したものである。なお、図４に示した第１実施形態と同様の処理は同符号を付して説明を省略する。
【００６８】
第２実施形態では、プレビュー表示のために原稿給紙部２１、反転機構、ＣＣＤ２２９及びＣＩＳ２３１によって原稿読取動作が行われたとき（Ｓ１１乃至Ｓ１５）、Ｓ１２でＣＣＤ２２９に読み取られた原稿表面の画像Ａ１と、同じくＳ１２でＣＩＳ２３１によって読み取られた原稿裏面Ａ２の画像とからなる高速モードでの原稿表裏面の画像と、Ｓ１４でＣＣＤ２２９によって読み取られた原稿裏面の画像Ｂ２とからなる高画質モードでの原稿裏面の画像について、ＡＣＳ部６１２が、カラー画像又はモノクロ画像のいずれであるかの判別を行う（Ｓ５０）。
【００６９】
そして、制御部６１は、ＡＣＳ部６１２による上記カラー／モノクロ判別で、上記３つの画像Ａ１〜Ｂ２のうち、少なくとも１つの画像がカラー画像であると判別された場合に（Ｓ５０でＹＥＳ）、当該画像Ａ１〜Ｂ２を表示部５１に表示させるための処理を行う（Ｓ１６）。また、ＡＣＳ部６１２による上記カラー／モノクロ判別で、上記４つの画像Ａ１〜Ｂ２が全てモノクロ画像であると判別された場合には（Ｓ５０でＮＯ）、制御部６１は、図１１に例として示すように、プレビュー表示を行わない旨のメッセージを表示部の画面上に表示させる（Ｓ５１）。この場合、処理は、Ｓ１６乃至Ｓ１８がスキップされて、Ｓ２に戻る。なお、Ｓ１６乃至Ｓ１８がスキップされる場合であっても、Ｓ１２及びＳ１４で読み取られた各読取画像のデータは、制御部６１に内蔵又は制御部に接続された図略のメモリに記憶されている。
【００７０】
これにより、上記原稿読取動作で読み込まれた原稿上の画像が全てモノクロ画像であって、高画質モード及び高速モードでの各読取画像の画質差が僅少である場合には、プレビュー表示がされないことになるため、原稿上の画像がカラー画像でありユーザにとって上記両モードでの各読取画像の画質差の比較が必要な場合に限ってプレビュー表示が行われる。そのため、ユーザは、上記両モードでの各読取画像の画質差の比較が不要である場合には、無駄なプレビュー表示を見なくて済む。
【００７１】
なお、制御部６１は、上記Ｓ５０におけるＡＣＳ部６１２による上記カラー／モノクロ判別では、上記処理に代えて、上記４つの画像Ａ１〜Ｂ２が全てカラー画像である場合にのみ、表示部５１にプレビュー表示を行わせるものとしてもよい。
【００７２】
また、画像Ａ１及びＡ２、画像Ａ１及びＢ２のいずれかの組合せのみについて、ＡＣＳ部６１２による上記カラー／モノクロ判別を行い、制御部６１は、当該判別の対象となった画像のいずれかがモノクロ画像であると判別された場合に、プレビュー表示を行わないようにしてもよい。
【００７３】
次に、複合機１によるプレビュー表示処理及び原稿読取処理の第３実施形態を説明する。図１２は、複合機１によるプレビュー表示処理及び原稿読取処理の第３実施形態を示すフローチャートである。図１３は、表示部５１の画面例を示したものである。なお、図４に示した第１実施形態と同様の処理は説明を省略する。
【００７４】
本第３実施形態でも、Ｓ２でプレビュー比較キー１１１がユーザによって押下された場合（Ｓ２で「プレビュー比較」）、第１実施形態と同様に、制御部６１は、プレビュー表示のために必要な一連の処理を所要各部に行わせるために、原稿給紙部２１に対して原稿（第１枚目）の取り込みを指示する信号を出力し、原稿給紙部２１に原稿トレイ２１１に載置された原稿を取り込ませ（Ｓ１１）、ＣＣＤ２２９及びＣＩＳ２３１による読取位置に向けて原稿を搬送させる。但し、本第３実施形態では、この第１枚目の当該原稿搬送においては、ＣＩＳ２３１が当該原稿の裏面を読み取る（Ｓ２２）。すなわち、制御部６１は、ＣＣＤ２２９に原稿表面を読み取らせなくてもよい。この原稿裏面の読取後、反転機構が当該原稿を表裏反転し、原稿給紙部２１が読取窓２３０（ＣＣＤ２９）に再搬送する（Ｓ２３）。ＣＣＤ２２９は、読取窓２３０まで搬送されてきた当該原稿の同じく裏面を読み取る（Ｓ２４）。当該ＣＣＤ２２９による原稿裏面の読取後、原稿給紙部２１は、当該原稿を排紙トレイ２１５に排出する（Ｓ２５）。
【００７５】
なお、Ｓ２２及びＳ２４で読み取られた各読取画像のデータは、制御部６１に内蔵又は制御部に接続された図略のメモリに記憶され、後述するプレビュー表示又は試験プリントのために用いられる。
【００７６】
続いて、制御部６１は、上記Ｓ２２においてＣＩＳ２３１により読み取った原稿裏面の画像から縮小画像を生成し、図１３に示すように、高速モードで原稿を読み取った場合における原稿画像の例として表示部５１に表示させる（Ｓ２６）。また、制御部６１は、上記Ｓ２４においてＣＣＤ２２９により読み取った原稿裏面の画像から縮小画像を生成し、図１３に示すように、高画質モードで原稿を読み取った場合における原稿画像の例として表示部５１に表示させる（Ｓ２７）。この後、処理はＳ１７に進む。なお、この第２実施形態での試験プリントは、上記プレビュー表示で読み取られている各読取画像についてのみ、制御部６１が記録部４０に記録紙への画像形成を行わせる。
【００７７】
このように、第３実施形態では、制御部６１は、高画質モード及び高速モードのいずれの場合でもＣＣＤ２２９によって読み取られて画質に差が生じない原稿表面については読取動作を行わせず、画質に差が生じる原稿裏面についてのみ読取動作を行わせてプレビュー画像を表示部５１に表示させる。このため、原稿表面の読取動作が不要である他、原稿画像表面の読取画像についての画像処理（縮小画像生成及び表示制御等）も不要である。また、ユーザは、画質差が生じる原稿面のみを表示部５１で直接対比して、高画質モード又は高速モードのいずれのモードで原稿読取動作を行わせるかを判断することができる。
【００７８】
次に、複合機１によるプレビュー表示処理及び原稿読取処理の第４実施形態を説明する。図１４は、複合機１によるプレビュー表示処理及び原稿読取処理の第４実施形態を示すフローチャートである。なお、図４，図１０，図１２に示した第１乃至３実施形態と同様の処理は説明を省略する。
【００７９】
第４実施形態では、プレビュー表示のために原稿給紙部２１、反転機構、ＣＣＤ２２９及びＣＩＳ２３１によって原稿読取動作が行われたとき（Ｓ１１，Ｓ２２乃至Ｓ２５）、Ｓ２２でＣＩＳ２３１によって読み取られた原稿裏面の画像からなる高速モードでの原稿画像Ｃと、Ｓ２４でＣＣＤ２２９に読み取られた原稿裏面の画像からなる高画質モードでの原稿画像Ｄについて、ＡＣＳ部６１２が、カラー画像又はモノクロ画像のいずれであるかの判別を行う（Ｓ５０）。
【００８０】
そして、制御部６１は、ＡＣＳ部６１２による上記カラー／モノクロ判別で、上記２つの画像Ｃ，Ｄのうち、少なくとも１つの画像がカラー画像であると判別された場合に（Ｓ５０でＹＥＳ）、図１３に示したように、当該画像Ｃ，Ｄを表示部５１に表示させる処理を行う（Ｓ２６，Ｓ２７）。また、ＡＣＳ部６１２による上記カラー／モノクロ判別で、上記２つの画像Ｃ，Ｄが全てモノクロ画像であると判別された場合には（Ｓ５０でＮＯ）、制御部６１は、上記図１１に例として示したように、プレビュー表示を行わない旨のメッセージを表示部の画面上に表示させる（Ｓ５１）。この場合、処理は、Ｓ２６，Ｓ２７，Ｓ１７，Ｓ１８がスキップされて、Ｓ２に戻る。
【００８１】
なお、Ｓ２６，Ｓ２７，Ｓ１７，Ｓ１８がスキップされる場合であっても、Ｓ２２及びＳ２４で読み取られた各読取画像のデータは、制御部６１に内蔵又は制御部に接続された図略のメモリに記憶されている。
【００８２】
これにより、上記比較対照とされる原稿上の両画像が両方ともモノクロ画像である場合には、プレビュー表示がされないので、ユーザは、当該両画像の画質差の比較が不要である場合には、無駄なプレビュー表示を見なくて済む。
【００８３】
但し、プレビュー表示のための原稿読取動作において、ＣＣＤ２２９及びＣＩＳ２３１は同一の原稿面を読み取っているため、ＣＣＤ２２９及びＣＩＳ２３１による原稿読取が正常に行われている場合は、ＣＣＤ２２９及びＣＩＳ２３１の光学的構成の性能が大幅に異ならない限り、上記Ｓ５０では、上記同一の原稿面の各読取画像の一方がカラー画像で、他方がモノクロ画像となることはない。そのため、制御部６１は、上記Ｓ５０におけるＡＣＳ部６１２による上記カラー／モノクロ判別では、上記処理に代えて、上記２つの画像Ｃ，Ｄが全てカラー画像である場合にのみ、表示部５１にプレビュー表示を行わせるものとしてもよい。
【００８４】
次に、複合機１によるプレビュー表示処理及び原稿読取処理の第５実施形態を説明する。図１５は、複合機１によるプレビュー表示処理及び原稿読取処理の第５実施形態を示すフローチャートである。この第５実施形態は、第１及び第２実施形態についての、プレビュー表示のための原稿読取動作終了後における処理を変形したものである。当該図１５に示すフローチャートでは、第１及び第２実施形態でプレビュー表示のための原稿読取動作を終え、処理がＳ２に戻った後からの処理のみを示しており、また、第１及び第２実施形態と同様の処理は説明を省略する。
【００８５】
本第５実施形態は、上記プレビュー表示のための原稿読取動作後に、プレビュー表示（Ｓ１６）、試験プリント（Ｓ２０）、又はプレビュー表示無しのメッセージ表示（Ｓ５１）を終えるまでの処理は、第１及び第２実施形態における場合と同様であるが、処理がＳ２に戻った後は、以下のような処理を行う。
【００８６】
表示部５１の両面／分割画面において、ユーザにより高画質モードキー１０９が押下され（Ｓ２で「高画質モード」）、ユーザから高画質モードでの原稿読取動作の指示が受け付けられると、制御部６１は、高画質モードでの原稿読取動作を原稿給紙部２１及びＣＣＤ２２９に行わせる（Ｓ３２）。このＳ３２の時点では、プレビュー表示のための原稿読取動作処理が終了しているため、既に第１枚目の原稿は原稿両面の画像読取を終えて排紙トレイ２１５上にある。そのため、当該Ｓ３２では、原稿給紙部２１による原稿給送は、原稿トレイ２１１に載置されている第２枚目から開始される。
【００８７】
制御部６１は、上記原稿トレイ２１１によって搬送される第２枚目の原稿について、読取窓２３０においてＣＣＤ２２９に原稿表面を読み取らせる（Ｓ３３）。この原稿表面の読取後、反転機構が当該原稿を表裏反転し、原稿給紙部２１が読取窓２３０（ＣＣＤ２９）に再搬送する（Ｓ３４）。続けてＣＣＤ２２９が、読取窓２３０において当該原稿の裏面を読み取り（Ｓ３５）、原稿給紙部２１は、当該表裏面読取後の原稿を排紙トレイ２１５に排紙する（Ｓ３６）。制御部６１は、Ｓ３２乃至Ｓ３６の処理を、原稿トレイ２１１に載置されている全ての原稿に対して繰り返す。
【００８８】
制御部６１は、プレビュー表示処理時（Ｓ１１乃至Ｓ１５）にＣＣＤ２２９によって読み取られた第１枚目原稿の表裏面の読取画像データと、上記Ｓ３２乃至Ｓ３６で読み取られたＣＣＤ２２９による第２枚目以降の原稿の表裏面の読取画像データとを画像形成用のプリント対象データとし（Ｓ３７）、当該プリント対象データを記録部４０によって記録紙に画像形成させる（Ｓ３８）。
【００８９】
一方、表示部５１の両面／分割画面において、ユーザにより高速モードキー１１０が押下され（Ｓ２で「高速モード」）、ユーザから高速モードでの原稿読取動作の指示が受け付けられると、制御部６１は、高速モードでの原稿読取動作を原稿給紙部２１、ＣＣＤ２２９及びＣＩＳ２３１に行わせる（Ｓ３９，Ｓ４０）。このＳ３９では、上記高画質モード時の読取動作と同様に、原稿給紙部２１による原稿給送は、原稿トレイ２１１に載置されている第２枚目から開始される。すなわち、制御部６１は、第２枚目の原稿から、一回の原稿搬送動作で、ＣＣＤ２２９に当該原稿の表面を読み取らせ、ＣＩＳ２３１に当該原稿の裏面を読み取らせる。原稿給紙部２１は、当該表裏面読取後の原稿を排紙トレイ２１５に排紙する（Ｓ３６）。制御部６１は、Ｓ３９，Ｓ４０，Ｓ３６の処理を、原稿トレイ２１１に載置されている全ての原稿に対して繰り返す。
【００９０】
そして、制御部６１は、プレビュー表示処理時に（Ｓ１１乃至Ｓ１５）、ＣＣＤ２２９によって読み取られた第１枚目原稿の表面の読取画像データと、ＣＩＳ２３１によって読み取られた第１枚目原稿の裏面の読取画像データと、上記Ｓ３９，Ｓ４０，Ｓ３６で読み取られた第２枚目以降の原稿の表裏面の読取画像データとを合成して、画像形成用のプリント対象データとし（Ｓ３７）、当該プリント対象データを記録部４０によって記録紙に画像形成させる（Ｓ３８）。
【００９１】
なお、第２実施形態のようにプレビュー表示処理等がスキップされるような場合であっても、制御部６１は、上述した制御部６１に内蔵又は制御部に接続されたメモリに記憶されている各読取画像のデータを用いて、上記一連の処理を行う。
【００９２】
これにより、画像形成時の原稿読取においては、プレビュー表示時の処理で読取を終えている原稿についての読取動作を省略できるので、重複した原稿読取動作を省略して、原稿読取動作を短時間で済ませることができる。
【００９３】
次に、複合機１によるプレビュー表示処理及び原稿読取処理の第６実施形態を説明する。図１６は、複合機１によるプレビュー表示処理及び原稿読取処理の第６実施形態を示すフローチャートである。この第６実施形態は、第１及び第２実施形態についての、プレビュー表示のための原稿読取動作終了後における処理を変形したものである。当該図１６に示すフローチャートでは、第１及び第２実施形態でプレビュー表示のための原稿読取動作を終え、処理がＳ２に戻った後からの処理のみを示しており、また、図１５に示した第５実施形態と同様の処理は説明を省略する。
【００９４】
この第６実施形態では、上記プレビューのための原稿読取動作後、プレビュー表示（Ｓ１６）、試験プリント（Ｓ２０）、又はプレビュー表示無しのメッセージ表示（Ｓ５１）を終えて、処理がＳ２に戻った後、以下のように処理を行う。
【００９５】
ユーザから高画質モードでの原稿読取動作の指示が受け付けられた場合における処理は、第５実施形態と同様である（Ｓ２で「高画質モード」，Ｓ３２乃至Ｓ３８）。
【００９６】
一方、ユーザから高速モードでの原稿読取動作の指示が受け付けられた場合の処理も（Ｓ２で「高速モード」）、第５実施形態と同様であるが（Ｓ３９乃至Ｓ４１）、但し、制御部６１は、第１枚目の原稿の読み取り画像として、プレビュー表示処理時に高画質モードでＣＣＤ２２９により読み取られた原稿両面の読取画像と、第２枚目以降の原稿両面の読取画像とをプリント対象データとする（Ｓ４３）。そして、制御部６１は、当該プリント対象データを記録部４０に画像形成させる（Ｓ３８）。
【００９７】
この第６実施形態によれば、原稿第１枚目の裏面の画像が、ＣＣＤ２２９によって読み取られた画像データを用いて画像形成されるので、通常の高速モードでの原稿読取及び画像形成の場合よりも、原稿第１枚目の裏面の画像を、色再現性よく画像形成することができる。
【００９８】
なお、本第６実施形態及び上述の第５実施形態の変形例として、以下に示すものがある。例えば、図４及び図１０に示した第１及び第２実施形態においてＳ１８で試験プリントが行われている場合には、第５及び第６実施形態のＳ３７では、制御部６１は、プレビュー表示時の読取画像を用いずに、第２枚目以降の原稿読取画像のみを用いてプリント対象データとし、このプリント対象データを記録部４０に画像形成させるようにする（Ｓ３８）。すなわち、制御部６１は、記録部４０に、第２枚目以降の原稿読取画像のみを記録紙に画像形成させる。これにより、プレビュー表示時に既に画像形成が済んでいる原稿について、記録紙への重複した画像形成を行う無駄をなくすことができる。
【００９９】
次に、複合機１によるプレビュー表示処理及び原稿読取処理の第７実施形態を説明する。図１７は、複合機１によるプレビュー表示処理及び原稿読取処理の第７実施形態を示すフローチャートである。この第７実施形態は、第３及び第４実施形態についての、プレビュー表示のための原稿読取動作終了後における処理を変形したものである。当該図１７に示すフローチャートでは、第３及び第４実施形態でプレビュー表示のための原稿読取動作を終え、処理がＳ２に戻った後からの処理のみを示しており、また、第５及び第６実施形態と同様の処理は説明を省略する。
【０１００】
この第７実施形態では、上記プレビュー表示のための原稿読取動作後に、プレビュー表示（Ｓ１６）、試験プリント（Ｓ２０）、又はプレビュー表示無しのメッセージ表示（Ｓ５１）を終えるまでの処理は、第３及び第４実施形態における場合と同様であるが、処理がＳ２に戻った後は、以下のような処理を行う。
【０１０１】
ユーザから高画質モードでの原稿読取動作の指示が受け付けられた場合（Ｓ２で「高画質モード」）、制御部６１は、高画質モードでの原稿読取動を原稿給紙部２１及びＣＣＤ２２９に行わせるが、この時点では、プレビュー表示処理において第１枚目の原稿の裏面の画像読取のみを終えているため、制御部６１は、原稿給紙部２１に第１枚目から原稿給送を開始させる（Ｓ５１）。すなわち、ユーザが、プレビュー表示処理時に排紙トレイ２１５に排紙された第１枚目の原稿を、原稿トレイ２１１に載置されている原稿の第１枚目位置に、他の原稿と表裏面の状態を合わせた状態として戻すことが前提となる。
【０１０２】
原稿給紙部２１によって、第１枚目の原稿が読取窓２３０の位置まで搬送されると、制御部６１は、ＣＣＤ２２９に当該原稿の表面を読み取らせる（Ｓ５２）。この原稿表面の読取後、反転機構が当該原稿を排出する（Ｓ５３）。第２枚目以降の原稿の読取動作は、第５及び第６実施形態と同様に行われる（Ｓ３２乃至Ｓ３６）。
【０１０３】
制御部６１は、プレビュー表示処理時（Ｓ１１，Ｓ２２乃至Ｓ２７）にＣＣＤ２２９によって読み取られた第１枚目原稿の裏面の読取画像データ（Ｓ２４）と、上記Ｓ５１乃至Ｓ５３で読み取られたＣＣＤ２２９による第１枚目原稿の表面の読取画像データと、Ｓ３２乃至Ｓ３６で読み取られたＣＣＤ２２９による第２枚目以降の原稿の表裏面の読取画像データとを画像形成用のプリント対象データとし（Ｓ５４）、当該プリント対象データを記録部４０によって記録紙に画像形成させる（Ｓ３８）。
【０１０４】
一方、Ｓ２で、ユーザから高速モードでの原稿読取動作の指示が受け付けられた場合は（Ｓ２で「高速モード」）、高画質モード選択時と同様に、この時点では、プレビュー表示処理において第１枚目の原稿の裏面の画像読取のみを終えているため、制御部６１は、原稿給紙部２１に第１枚目から原稿給送を開始させる（Ｓ５５）。そして、制御部６１は、ＣＣＤ２２９に原稿表面を読み取らせると共に、ＣＩＳ２３１に原稿裏面を読み取らせ（Ｓ５６）、原稿給紙部２１は、当該表裏面読取後の原稿を排紙トレイ２１５に排紙する（Ｓ５７）。制御部６１は、Ｓ５５及びＳ５６で読み取られた第１枚目の原稿の表裏面の読取画像から、最終の原稿の表裏面の画像までを用いてプリント対象データとし（Ｓ５８）、記録部４０に画像形成を行わせる（Ｓ３８）。すなわち、高速モードの場合、原稿表裏面の画像は一回の原稿搬送動作で読み取られ、高画質モードのように原稿裏面読取のために読取時間を要することがないので、通常の高速モードでの読取動作と同様に、第１枚目の原稿の表裏面を読み取って、当該表裏面の読取画像のデータをプリント対象データの生成に用いる。但し、第１枚目の原稿読取動作時には、ＣＣＤ２２９による原稿表面の読取のみを行い、ＣＩＳ２３１による原稿裏面の読み取りを行わないようにしてもよい。
【０１０５】
この第７実施形態によれば、画像形成時の高画質モードでの原稿読取動作において、プレビュー表示時の処理で読取を終えている原稿裏面についての読取動作を省略できるので、重複した原稿読取動作を省略して、原稿読取動作を短時間で済ませることができる。
【０１０６】
なお、上記各実施形態においては、本発明の要点ではないため、特に説明していないが、読み取り後の各原稿は、フェイスダウン状態で揃って排紙トレイ２１５に排出されるように、反転機構及び原稿給紙部２１が原稿面を置換した後に排出される。
【０１０７】
なお、本発明は上記実施の形態の構成に限られず種々の変形が可能である。例えば、上記実施形態では、特許請求の範囲における第１読取部をスキャナ部２２２（ＣＣＤ２２９）とし、第２読取部をＣＩＳ２３１として説明しているが、これに限られず、第１及び第２読取部を、スキャナ部２２２（ＣＣＤ２２９）又はＣＩＳ２３１のいずれで構成することも可能である。
【０１０８】
また、上記では、本発明に係る画像読取装置及び画像形成装置の構成及び処理の実施形態を図１乃至図１７に示したが、これらはあくまでも一例に過ぎず、本発明に係る画像読取装置及び画像形成装置を上述した構成及び制御に限定する趣旨ではない。
【図面の簡単な説明】
【０１０９】
【図１】本発明に係る画像形成装置の一実施形態である複合機の内部構成を模式的に示した縦断面図である。
【図２】操作部の正面図の一例である。
【図３】複合機の電気的構成を示すブロック図である。
【図４】複合機によるプレビュー表示処理及び原稿読取処理の第１実施形態を示すフローチャートである。
【図５】表示部の画面例を示したものである。
【図６】表示部の画面例を示したものである。
【図７】表示部の画面例を示したものである。
【図８】表示部の画面例を示したものである。
【図９】表示部の画面例を示したものである。
【図１０】複合機によるプレビュー表示処理及び原稿読取処理の第２実施形態を示すフローチャートである。
【図１１】表示部の画面例を示したものである。
【図１２】複合機によるプレビュー表示処理及び原稿読取処理の第３実施形態を示すフローチャートである。
【図１３】表示部の画面例を示したものである。
【図１４】複合機によるプレビュー表示処理及び原稿読取処理の第４実施形態を示すフローチャートである。
【図１５】複合機によるプレビュー表示処理及び原稿読取処理の第５実施形態を示すフローチャートである。
【図１６】複合機によるプレビュー表示処理及び原稿読取処理の第６実施形態を示すフローチャートである。
【図１７】複合機によるプレビュー表示処理及び原稿読取処理の第７実施形態を示すフローチャートである。
【符号の説明】
【０１１０】
１          複合機
２          画像読取装置
３          装置本体
５          操作部
２１        原稿給紙部
２２        スキャナ部
４０        記録部
５１        表示部
５２        タッチパネル
６１        制御部
１０９      高画質モードキー
１１０      高速モードキー
１１１      プレビュー比較キー
１１２      試験プリントキー
２１１      原稿トレイ
２２９      ＣＣＤ
２３１      ＣＩＳ
６１１      モード設定部
６１２      ＡＣＳ部
【図１】
0004978931.tif 000002
【図２】
0004978931.tif 000003
【図３】
0004978931.tif 000004
【図４】
0004978931.tif 000005
【図１０】
0004978931.tif 000006
【図１２】
0004978931.tif 000007
【図１４】
0004978931.tif 000008
【図１５】
0004978931.tif 000009
【図１６】
0004978931.tif 000010
【図１７】
0004978931.tif 000011
【図５】
0004978931.tif 000012
【図６】
0004978931.tif 000013
【図７】
0004978931.tif 000014
【図８】
0004978931.tif 000015
【図９】
0004978931.tif 000016
【図１１】
0004978931.tif 000017
【図１３】
0004978931.tif 000018